(57)【要約】  ＷＷＡＮ及びＷＬＡＮシステム／ドメイン間の装置の移動性を容易にする方法及びシステムがここに述べられる。移動局は、好ましいシステム／ドメイン及び好ましくないシステム／ドメインで登録され、１つ以上の公のアイデンティティ及び１つ以上の関連する個人のアイデンティティを使用し、好ましいシステム／ドメイン及び好ましくないシステム／ドメインで登録を実行する。１つ以上の関連するシステム／ドメインは、さらにネットワークで伝送されたページング信号がモニタされる。ページ信号に応答して、移動局はページング信号の伝送を容易にしたシステム／ドメインでページング応答信号を伝送する。
2010512128.tif 000002
【特許請求の範囲】
【請求項１】
好ましいシステム／ドメインおよび好ましくないシステム／ドメインを備えた移動局を登録し、
ページング信号のための前記好ましいシステム／ドメインおよび前記好ましくないシステム／ドメインの少なくとも１つモニタリングする方法。
【請求項２】
前記モニタリングは、さらに、
前記ページング信号のための前記好ましいシステム／ドメインおよび前記好ましくないシステム／ドメインをモニタリングし、
前記好ましいシステム／ドメインおよび前記好ましくないシステム／ドメインの双方で前記ページング信号を同時に受信することを含む請求項１記載の方法。
【請求項３】
前記好ましいシステム／ドメインで前記ページング信号に応答してページング応答信号を送信することをさらに含む請求項２記載の方法。
【請求項４】
前記好ましいシステム／ドメインは前記移動局内に準備される請求項１記載の方法。
【請求項５】
前記モニタリングは、さらに、
前記ページング信号のための前記好ましいシステム／ドメインをモニタリングし、前記システム／ドメインのうちの１つで前記ページング信号を受信し、前記ページング信号は前記好ましいシステム／ドメインから始めて各システム／ドメインで連続して送信される請求項１記載の方法。
【請求項６】
前記ページング信号を受信するために使用された前記１つのシステム／ドメインで前記ページング信号に応答してページング応答信号を送信することをさらに含む請求項５記載の方法。
【請求項７】
前記ページング信号が前記好ましいシステム／ドメインで前記移動局に届かない場合に、前記好ましいシステム／ドメインで前記登録を維持することをさらに含む請求項５記載の方法。
【請求項８】
前記好ましいシステム／ドメイン及び前記好ましくないシステム／ドメインで登録を行なうために、前記移動局は公のアイデンティティおよび少なくとも１つの関連する個人のアイデンティティを使用する請求項１の方法。
【請求項９】
前記モニタリングは、さらに、
前記好ましいシステム／ドメインおよび前記好ましくないシステム／ドメインの以前に登録されたシステム／ドメインから前記登録を取り除き、
残りの現在登録されたシステム／ドメインをモニタリングすることを含む請求項１記載の方法。
【請求項１０】
前記残りの現在登録されたシステム／ドメインで前記ページング信号を受信し、
前記残りのシステム／ドメインで前記ページング信号に応答してページング応答信号を送信することをさらに含む請求項９記載の方法。
【請求項１１】
好ましいシステム／ドメインおよび好ましくないシステム／ドメインを備えた移動局を登録するための手段と、
ページング信号のための前記好ましいシステム／ドメインおよび前記好ましくないシステム／ドメインのうちの少なくとも１つをモニターするための手段と
を具備する装置。
【請求項１２】
前記ページング信号のための前記好ましいシステム／ドメインおよび前記好ましくないシステム／ドメインをモニタリングする手段と、
前記好ましいシステム／ドメインおよび前記好ましくないシステム／ドメインの双方で前記ページング信号を同時に受信する手段と
をさらに具備する請求項１１記載の装置。
【請求項１３】
前記好ましいシステム／ドメインで前記ページング信号に応答してページング応答信号を送信する手段をさらに具備する請求項１２記載の装置。
【請求項１４】
前記好ましいシステム／ドメインは、前記移動局内に準備されている請求項１１記載のの装置。
【請求項１５】
前記ページング信号のための前記好ましいシステム／ドメインをモニタリングする手段と、
前記システム／ドメインのうちの１つで前記ページング信号を受信し、前記ページング信号は前記好ましいシステム／ドメインから始めて各システム／ドメインで連続して送信する手段と
をさらに具備する請求項１１記載の装置。
【請求項１６】
前記ページング信号を受信するために使用された前記１つのシステム／ドメインで前記ページング信号に応答してページング応答信号を送信する手段をさらに具備する請求項１５記載の装置。
【請求項１７】
前記ページング信号が前記好ましいシステム／ドメインで前記移動局に届かない場合に、前記好ましいシステム／ドメインで前記登録を維持する手段をさらに具備する請求項１５記載の装置。
【請求項１８】
前記好ましいシステム／ドメイン及び前記好ましくないシステム／ドメインで登録を行なうために、前記移動局は公のアイデンティティおよび少なくとも１つの関連する個人のアイデンティティを使用する請求項１１記載の装置。
【請求項１９】
前記好ましいシステム／ドメインおよび前記好ましくないシステム／ドメインの以前に登録されたシステム／ドメインから前記登録を取り除く手段と、
残りの現在登録されたシステム／ドメインをモニタリングする手段と
をさらに具備する請求項１１記載の装置。
【請求項２０】
前記残りの現在登録されたシステム／ドメインで前記ページング信号を受信する手段と、
前記残りのシステム／ドメインで前記ページング信号に応答してページング応答信号を送信する手段と
をさらに具備する請求項１９記載の装置。
【請求項２１】
コンピュータに、好ましいシステム／ドメインおよび好ましくないシステム／ドメインを備えた移動局を登録させるコードと、
前記コンピュータに、ページング信号のための前記好ましいシステム／ドメインおよび前記好ましくないシステム／ドメインの少なくとも１つモニタリングさせるコードと
を具備するコンピュータ読取可能な媒体を有するコンピュータプログラム製品。
【請求項２２】
前記コンピュータ読取可能な媒体は、さらに、
前記コンピュータに、前記ページング信号のための前記好ましいシステム／ドメインおよび前記好ましくないシステム／ドメインをモニタリングさせるコードと、
前記コンピュータに、前記好ましいシステム／ドメインおよび前記好ましくないシステム／ドメインの双方で前記ページング信号を同時に受信させるコードと
を具備する請求項２１記載のコンピュータプログラム製品。
【請求項２３】
前記コンピュータに、前記好ましいシステム／ドメインで前記ページング信号に応答してページング応答信号を送信させる請求項２２記載のコンピュータプログラム製品。
【請求項２４】
前記好ましいシステム／ドメインは前記移動局内に準備される請求項２１記載のコンピュータプログラム製品。
【請求項２５】
前記コンピュータ読取可能な媒体は、さらに、
前記コンピュータに、前記ページング信号のための前記好ましいシステム／ドメインをモニタリングさせるコードと、
前記コンピュータに、前記システム／ドメインのうちの１つで前記ページング信号を受信させるコードとを具備し、前記ページング信号は前記好ましいシステム／ドメインから始めて各システム／ドメインで連続して送信される請求項２１記載のコンピュータプログラム製品。
【請求項２６】
前記コンピュータ読取可能な媒体は、さらに、
前記コンピュータに、前記ページング信号を受信するために使用された前記１つのシステム／ドメインで前記ページング信号に応答してページング応答信号を送信させるコードを具備する請求項２５記載のコンピュータプログラム製品。
【請求項２７】
前記コンピュータ読取可能な媒体は、さらに、
前記コンピュータに、前記ページング信号が前記好ましいシステム／ドメインで前記移動局に届かない場合に、前記好ましいシステム／ドメインで前記登録を維持させるコードを具備する請求項２５記載のコンピュータプログラム製品。
【請求項２８】
前記好ましいシステム／ドメイン及び前記好ましくないシステム／ドメインで登録を行なうために、前記移動局は公のアイデンティティおよび少なくとも１つの関連する個人のアイデンティティを使用する請求項２１記載のコンピュータプログラム製品。
【請求項２９】
前記コンピュータ読取可能な媒体は、さらに、
前記コンピュータに、前記好ましいシステム／ドメインおよび前記好ましくないシステム／ドメインの以前に登録されたシステム／ドメインから前記登録を取り除かさせるコードと、
残りの現在登録されたシステム／ドメインをモニタリングさせるコードと
を具備する請求項２１記載のコンピュータプログラム製品。
【請求項３０】
前記コンピュータ読取可能な媒体は、さらに、
前記コンピュータに、前記残りの現在登録されたシステム／ドメインで前記ページング信号を受信させるコードと、
前記コンピュータに、前記残りのシステム／ドメインで前記ページング信号に応答してページング応答信号を送信させるコードとを具備する請求項２９記載のコンピュータプログラム製品。
【請求項３１】
好ましいシステム／ドメインおよび好ましくないシステム／ドメインを備えた移動局を登録し、ページング信号のための前記好ましいシステム／ドメインおよび前記好ましくないシステム／ドメインの少なくとも１つモニタリングするように構成されたプロセッサと、
前記プロセッサに接続されたメモリと
を具備する無線通信装置。
【請求項３２】
前記プロセッサは、さらに、前記ページング信号のための前記好ましいシステム／ドメインおよび前記好ましくないシステム／ドメインをモニタリングし、前記好ましいシステム／ドメインおよび前記好ましくないシステム／ドメインの双方で前記ページング信号を同時に受信する請求項３１記載の無線通信装置。
【請求項３３】
前記プロセッサは、さらに、前記好ましいシステム／ドメインで前記ページング信号に応答してページング応答信号を送信する請求項３２記載の無線通信装置。
【請求項３４】
前記好ましいシステム／ドメインは前記装置内に準備される請求項３１記載の無線通信装置。
【請求項３５】
前記プロセッサは、さらに、前記ページング信号のための前記好ましいシステム／ドメインをモニタリングし、前記システム／ドメインのうちの１つで前記ページング信号を受信し、前記ページング信号は前記好ましいシステム／ドメインから始めて各システム／ドメインで連続して送信される請求項３１記載の無線通信装置。
【請求項３６】
前記プロセッサは、さらに、前記ページング信号を受信するために使用された前記１つのシステム／ドメインで前記ページング信号に応答してページング応答信号を送信する請求項３５記載の無線通信装置。
【請求項３７】
前記プロセッサは、さらに、前記ページング信号が前記好ましいシステム／ドメインで前記移動局に届かない場合に、前記好ましいシステム／ドメインで前記登録を維持する請求項３５記載の無線通信装置。
【請求項３８】
前記装置は、前記好ましいシステム／ドメイン及び前記好ましくないシステム／ドメインで登録を行なうために、前記移動局は公のアイデンティティおよび少なくとも１つの関連する個人のアイデンティティを使用する請求項３１記載の無線通信装置。
【請求項３９】
前記プロセッサは、さらに、前記好ましいシステム／ドメインおよび前記好ましくないシステム／ドメインの以前に登録されたシステム／ドメインから前記登録を取り除き、残りの現在登録されたシステム／ドメインをモニタリングする請求項３１記載の無線通信装置。
【請求項４０】
前記プロセッサは、さらに、前記残りの現在登録されたシステム／ドメインで前記ページング信号を受信し、前記残りのシステム／ドメインで前記ページング信号に応答してページング応答信号を送信する請求項３９記載の無線通信装置。
【発明の詳細な説明】
【技術分野】
【０００１】
本開示は、一般的に無線通信、より具体的には、無線通信ネットワーク間の装置移動性をサポートする技術に関する。
【背景技術】
【０００２】
電子装置は複数の通信プロトコルを含むことができる。例えば、移動装置は多機能装置になり、従来のセルラー通信と同様に、頻繁に電子メール、インターネットアクセスを提供する。移動装置は、例えば、下記技術を利用して広域無線接続性を装備することができる：第３世代無線あるいはセルラーシステム（３Ｇ）、電気電子工学学会（ＩＥＥＥ）８０２．１６（ＷｉＭａｘ）、および無線広域ネットワーク（ＷＷＡＮ）技術で定義された他の技術。一方、同様に、無線ローカルエリアネットワーク（ＷＬＡＮ）接続性に基づくＩＥＥＥ  ８０２．１１が移動装置にインストールされている。さらに、超広帯域（ＵＷＢ）および／またはブルートゥースベースの無線パーソナルネットワーク（ＷＰＡＮ）のローカルの接続性は、さらに移動装置において利用可能である。
【０００３】
電子装置中の複数の通信プロトコルの他の例は、無線マウス、無線キーボードなどにラップトップを接続するために利用されるＷＰＡＮを含む。さらに、ラップトップは、ラップトップがＷＬＡＮと通信することを可能にするＩＥＥＥ  ８０２．１１ｂあるいは８０２．１１ｇの装置を含んでいてもよい。ＷＬＡＮはポピュラーになっており、例えば、個人・事業目的の両方のためのホームの中でセット・アップされている。さらに、コーヒーショップ、インターネット・カフェ、図書館および公・民間の組織は、ＷＬＡＮを利用する。
【０００４】
ＷＷＡＮ技術は広域（ユビキタス）カバレッジおよび広域配備によって識別される。しかしながら、それらは建物浸透損失、カバレッジホールを被り、ＷＬＡＮとＷＰＡＮと比較して、さらに帯域幅の制限を被る。ＷＬＡＮとＷＰＡＮ技術は非常に高いデータ転送速度を搬送し、何百Ｍｂｐｓに近づいているが、カバレッジは一般的には、ＷＰＡＮの場合には数十フィート、ＷＬＡＮの場合には数百フィートに制限されている。
【０００５】
ネットワークとプロトコルの数は、独自のユーザ要求および互いに異なるプロトコルに機能的に関連した要求により急速に増加し続ける。そのような異種のネットワークおよびプロトコルはユーザにとって切り替えるのが面倒である。また、多くの場合では、ユーザは、ユーザにとって所定の時間にどんなネットワークが最適なネットワークであるかについて関係なくネットワークの中にトラップされる。先の観点から、ユーザにとって最良の通信プロトコルで最適化しカバーするためにネットワークおよび／またはプロトコル間のシームレス遷移を提供することは有益である。
【発明の概要】
【０００６】
３５  Ｕ．Ｓ．Ｃ．§１１９に基づく優先権の主張
特許のための本願は、２００６年１２月０５日に出願され、仮出願６０／８６８，６９９号の題号「ＷＬＡＮ／ＩＭＳドメインと３Ｇドメインの間の音声コール連続性のない移動度のサポート」の利益および優先権を請求し、それはここで参照することによって明らかにここに組込まれる。
【０００７】
ＷＷＡＮおよびＷＬＡＮシステム／ドメインの間の装置の移動度を容易にする方法およびシステムが、ここに述べられる。移動局は、好ましいシステム／ドメインおよび好ましくないシステム／ドメインで登録され、１つ以上の公の(public)アイデンティティ及び１つ以上の関連する個人のアイデンティティを使用し、好ましいシステム／ドメイン及び好ましくないシステム／ドメイン上に登録を行なう。関連するシステム／ドメインの１つ以上はさらにネットワークを通して送信されたページング信号のためにモニターされる。ページング信号に応答して、移動局は、ページング信号の送信を容易にするシステム／ドメインでページング応答信号を送信する。
【０００８】
発明の様々な観点および実施形態は、さらに詳細に以下に述べられる。
【０００９】
本発明の特徴及び性質は、同じ参照番号が通して対応するものであることが識別される図面に関連して、以下の詳細な記述からより明らかになる。
【図面の簡単な説明】
【００１０】
【図１】図１は本発明の一例示的な実施形態に従った多重接続無線通信システムを示す。
【図２】図２はＷＷＡＮおよびＷＬＡＮシステムの例示的な配備を示す。
【図３】図３は、本発明の一実施形態に従う無線通信システム内の移動装置のブロック図である。
【図４】図４は、本発明の一実施形態に従う種々のＩＭＳアイデンティティと移動装置の関係を示す。
【図５】図５は、本発明の一実施形態に従うネットワーク内の異なるドメインにわたる移動装置の移動度を容易にする方法を示すブロック図である。
【図６】図６は、本発明の択一的な実施形態に従うネットワーク内の異なるドメインにわたる移動装置の移動度を容易にする方法を示すブロック図である。
【図７】図７は、本発明の１つの実施形態に従う、ネットワーク内の異なるドメインにわたる移動装置の移動度を容易にする方法の相互作用図である。
【図８】図８は、本発明の択一的な実施形態に従うネットワーク内の異なるドメインに関する移動装置の移動度を容易にする方法の相互作用図である。
【図９】図９は、本発明の別の択一的な実施形態に従うネットワーク内の異なるドメインにわたる移動装置の移動度を容易にする方法の相互作用図である。
【図１０】図１０は、本発明のさらなる択一的な実施形態に従うネットワーク内の異なるドメインにわたる移動装置の移動度を容易にする方法の相互作用図である。
【図１１】図１１は、本発明の別の択一的な実施形態に従うネットワーク内の異なるドメインにわたる移動装置の移動度を容易にする方法の相互作用図である。
【図１２】図１２は、本発明の別の択一的な実施形態に従うネットワーク内の異なるドメインにわたる移動装置の移動度を容易にする方法を示すブロック図である。
【発明を実施するための形態】
【００１１】
「例示的」という単語は、ここでは「例、インスタンスあるいは実例として」ということを意味するために使用される。ここにおいて「例示的」と述べられたいずれの実施形態あるいは設計は、他の実施の形態又は設計よりも好ましいか有利であるものとして解釈される必要はない。開示された実施形態は、下記技術の任意のあるいはコンビネーションに適用されてもよい。符号分割多重アクセス（ＣＤＭＡ）システム、複数キャリアＣＤＭＡ（ＭＣ−ＣＤＭＡ）、広帯域ＣＤＭＡ（Ｗ−ＣＤＭＡ）、高速パケットアクセス（ＨＳＰＡ，ＨＳＰＡ＋）、時分割多重アクセス（ＴＤＭＡ）システム、周波数分割多重アクセス（ＦＤＭＡ）システム、直交周波数分割多重アクセス（ＯＦＤＭＡ）システムあるいは他の多重アクセス技術。無線通信システムは、ＩＳ−９５、ｃｄｍａ２０００、ＩＳ−８５６、Ｗ−符号分割多重アクセス、ＴＤ−ＳＣＤＭＡおよび他の標準のような１つ以上の標準を実行するように設計されている。さらに、開示された実施形態は、３ＧＰＰ２（１ｘＲＴＴ、１ｘＥＶ−ＤＯ  Ｒｅｌ０、ＲｅｖＡ、ＲｅｖＢ）技術および他の既知で関連する技術と同様に３ＧＰＰ（Ｒｅｌ９９、Ｒｅｌ５、Ｒｅｌ６、Ｒｅｌ７）技術に適用されてもよい。
【００１２】
図１は開示の一例示的な実施形態に従う多重アクセス無線通信システムを示す。図１に示されるように、一実施形態では、システム２００は有線(wired)ローカルエリアネットワーク（ＬＡＮ）に関連したＷＬＡＮを含んでいる。システム２００の内のアクセスポイント（ＡＰ）１０２は１つ以上の移動装置１０４と通信状態にある。アクセス・ポイント１０２は、ＬＡＮのためのイーサネット（登録商標）・ハブ又はスイッチ２０２にさらに接続される。いくつかの実施形態では、イーサネット・ハブ２０２は、例えば、パーソナルコンピュータ、周辺機器（例えばファクシミリ装置、コピー機、プリンター、スキャナなど）、サーバーなどを含むことができる１つ以上の電子装置２０４に接続されてもよい。イーサネットハブ２０２は、モデム２０８にデータ・パケットを送信するルータ２０６にさらに接続されてもよい。モデム２０８は、さらにインターネットのような広域ネットワーク（ＷＡＮ）２１０にデータ・パケットを送信する。システム２００は単一の単純なネットワーク・コンフィギュレーションを示す。例えば、代替電子装置を含むシステム２００の多くの追加のコンフィギュレーションが可能である。システム２００はＬＡＮに関して図示され述べられているが、システム２００が例えばＷＷＡＮおよび／またはＷＰＡＮを含む他の技術を別々に及び／又は一緒に利用してもよいことが理解される。
【００１３】
一実施形態では、システム２００は、移動装置１０４によって現在利用されているアクセス・ポイントと、システム２００に関連したアクセスポイント１０２との間の移動装置１０４のシームレススイッチングを容易にする。このようなアクセス・ポイント１０２への転送及びアクセス・ポイント１０２にサポートされたネットワークへの転送が、移動装置１０４のユーザに必要とされている機能性を提供するために選択されてもよく、また移動装置１０４の位置(location)又はユーザが移動装置１０４にアクセス又はアップロードすることを望むデータの機能であっても良い。制限ではなく例示のために、電子装置２０４を通して機能的に利用可能なＷＷＡＮおよび／またはＷＬＡＮを利用するために、無線装置１０４は電子装置２０４に接続されている。一実施形態では、そのような遷移はユーザ始動又はシステム２００によって自動的に行なわれてもよい。
【００１４】
図２は例示的なＷＷＡＮおよびＷＬＡＮシステムの配備をを示す。一実施形態では、ＷＷＡＮ  ２２０あるいは回路スイッチ（ＣＳ）ネットワークは、例えば都市、状態などの大きな地理的なエリアのためのに通信カバレッジを提供する。ＷＬＡＮ  ２３０は、例えばモール、キャンパス、店などのより小さな地理的なエリアのための通信カバレッジを提供する。ＷＷＡＮ  ２２０のカバレッジエリアは、ＷＬＡＮ  ２３０のカバレッジエリアをオーバーラップさせてもよいし、オーバーラップさせなくてもよい。
【００１５】
一実施形態では、ＷＷＡＮ  ２２０は、１ｘネットワーク、１ｘＥＶ−ＤＯネットワークあるいは他の既知のタイプのネットワークであっても良い。ＷＷＡＮ  ２２０は、ＷＷＡＮ  ２２０のカバレッジエリア内の無線装置２２４の通信をサポートする多くの基地局２２２をさらに含んでいる。単純化のために、ＷＷＡＮ  ２２０について３つの基地局２２２だけが図２において示される。基地局は、無線装置と通信し、基礎トランシーバ局（ＢＴＳ）（１ｘ用語）、アクセスポイント（１ｘＥＶ−ＤＯ用語）あるいは他のある用語で呼ばれてもよい固定局である。無線装置２２４はＷＷＡＮ  ２２０のカバレッジエリアの全体にわたって位置する。無線装置も、移動局（１ｘ用語）、ユーザ／アクセス端末（１ｘＥＶ−ＤＯ用語）、ユーザ設備（ＵＥ）、移動装置（ＭＥ）、加入者ユニットあるいは他の用語で呼ばれてもよい。無線装置はセルラー電話、パーソナルデジタルアシスタント（ＰＤＡ）、無線モデム、ハンドセットおよび／または他の既知の装置であっても良い。移動交換局（ＭＳＣ）２２６はＷＷＡＮ  ２２０における基地局２２２の調整と制御を提供する。
【００１６】
一実施形態では、ＷＬＡＮ  ２３０はＩＥＥＥ  ８０２．１１ネットワークあるいは他のタイプのネットワークでも良い。ＷＬＡＮ  ２３０は、ＩＥＥＥ  Ｓｔｄ  ８０２．１１ａ−１９９９（一般に呼ばれる「８０２．１１ａ」）、ＩＥＥＥ  Ｓｔｄ  ８０２．１１ｂ−１９９９（一般に呼ばれる「８０２．１１ｂ」）、ＩＥＥＥ  Ｓｔｄ  ８０２．１１ｇ−２００３（一般に呼ばれる「８０２．１１ｇ」）などのような１つ以上の標準を実行してもよく、それらは公知である。ＷＬＡＮ  ２３０は、ＷＬＡＮ  ２３０のカバレッジエリア内の無線端末２３４（例えばラップトップ・コンピュータ）および無線装置２２２のための通信をサポートする１つ以上のアクセス・ポイント２３２を含んでいてもよい。単純化のために、ＷＬＡＮ  ２３０について３つのアクセスポイント２３２だけが図２において示されている。中心化アーキテクチャーでは、システムコントローラ２３６はＷＬＡＮ  ２３０におけるアクセスポイント２３２について調整と制御を提供する。
【００１７】
図３は、開示の一実施形態に従う無線通信システムの内の移動装置のブロック図である。図３に示されるように、一実施形態では、移動局として交換可能であることも知られている移動装置３００はＷＷＡＮ機能性（例えば符号分割多重アクセス（ＣＤＭＡ）、広帯域符号拡散多重アクセス（ＷＣＤＭＡ）あるいは直交周波数分割多重アクセス（ＯＦＤＭＡ））、ＷＬＡＮ機能性（例えばＩＥＥＥ  ８０２．１１）および／または関連する技術を含んでも良い。
【００１８】
一実施形態では、ＷＷＡＮ／３Ｇドメイン機能性を提供するＷＷＡＮコンポーネント又はモジュール３０２、およびＷＬＡＮ／ＩＭＳドメイン機能性を提供するＷＬＡＮコンポーネント又はモジュール３０４が、ともに配置され、バス３０６を介してトランシーバ３０８或いは他の既知の構造又は装置と通信することができる。発明の精神又は観点から離れることなく、開示された実施形態でバス以外の通信手段を利用することができることが理解される。移動装置３００による送信および／または受信を可能にするために、トランシーバ３０８は、１つ以上のアンテナ３１０にさらに接続される。
【００１９】
一実施形態では、ＷＬＡＮ機能性コンポーネント／モジュール３０４は、通信用のトランシーバ３０８に提供される音声データを生成する。択一的な実施形態では、ＷＷＡＮ機能性コンポーネント／モジュール３０２および／またはＷＬＡＮ機能性コンポーネント／モジュール３０４は、移動装置３００内のプロセッサに含まれていても良い。別の実施形態では、ＷＷＡＮ機能性およびＷＬＡＮ機能性は別個の集積回路によって提供されてもよい。さらなる実施形態では、ＷＷＡＮ機能性およびＷＬＡＮ機能性は、そのような機能性を含む１つ以上の集積回路、プロセッサ、ＡＳＩＣ、ＦＰＧＡ、それらのコンビネーションなどによって提供されてもよい。サービスおよびユーザ経験の豊富なコンビネーションを可能にするために、移動装置３００は広域（ＷＷＡＮ）およびローカルエリア（ＷＬＡＮとＷＰＡＮ）のための接続性オプションを装備している。
【００２０】
一実施形態では、ＷＬＡＮ機能性コンポーネント／モジュール３０４はオプションのＷＰＡＮ機能性コンポーネントあるいはモジュール３１２を含んでいてもよい。移動装置３００は、移動装置３００の関数に関係のある１つ以上の基準に基づいて、移動装置３００は、ＷＷＡＮあるいはＷＬＡＮのいずれか、及びＷＰＡＮ、あるいは両方に同時に接続することができる。更に、各ネットワークおよび／またはプロトコルの間を切り替えるためのプロセス及び基準が提供されてもよい。基準はさらに移動装置３００内のメモリに格納されても良く、メモリに接続されたプロセッサは格納された基準に基づいて１つ以上のネットワークを分析してもよい。
【００２１】
一実施形態では、ＶＣＣ  ＡＳ（音声コール連続性アプリケーションサーバー）ノード（示されない）が、ＭＳがコールを得るためにページされてれても良い場合に、ドメインを維持するためさらに提供されてもよい。一実施形態では、本開示は、ＶＣＣ  ＡＳの有効性に先立って移動度をサポートする問題を扱う。さらに、ＶＣＣ  ＡＳは、  １）ドメイン登録のみ  ２）ＩＭＳおよびＣＳドメインの間の実際のコール連続性、の段階で支援されても良い。この開示は、さらにＶＣＣ  ＡＳ能力に適応するメカニズムを示唆する。
【００２２】
図４は、発明の一実施形態に従う、様々なＩＭＳのアイデンティティと移動装置との間の関係を示す。一実施形態では、移動装置３００がＷＬＡＮシステム上で音声トラヒックにあり、現在関連するアクセス・ポイント（ＡＰ）カバレッジから出ている場合、移動装置３００は別の近隣のアクセス・ポイント（ＡＰ）上で音声通信を継続しようとする。移動装置３００は単一及び２重のアイデンティティコンフィギュレーションを許可し、遷移時間周期の間にのみ２重に登録された状態にとどまり、１つの無線のカバレッジが弱くなるにつれて、サービスの部分的なセットがＷＬＡＮドメインで利用可能な場合に、および／または、移動装置を他のネットワークにハンドオーバすることが必要とされる。一実施形態では、２重登録は、移動装置３００が両方のシステムをモニターすることを意味せず、ネットワークが２つのドメインのうちの１つの内で移動装置３００を見つけることを可能にする。
【００２３】
図４に示されるように、一実施形態では、ＷＷＡＮ（回路切り替えされれた）ドメインの移動装置３００の登録は、装置のＷＬＡＮ／ＩＭＳドメインの装置の登録と無関係に扱われる。３Ｇおよび／またはＷＬＡＮドメインで公のアイデンティティを使用して、移動装置が登録されている一方、移動装置はＣＳドメインで登録されることができる。ＣＳドメインとＩＭＳドメインの間の調整はネットワークで扱われる。
【００２４】
一実施形態では、ＩＭＳ予約(subscription)４１０は移動装置３００から起動されてもよい。装置３００は１つ以上の個人のアイデンティティ４２０と１あるいは１つ以上の公のアイデンティティ４３０に関係している。各公のアイデンティティ４３０は１つ以上の個人のアイデンティティに対応してもよく、各個人のアイデンティティ４２０は１つ以上の公のアイデンティティ４３０に対応してもよい。一実施形態では、個人・公のアイデンティティの全ての関連は、移動装置３００に関連するサービスプロファイル４４０内に格納され、ユーザはアクセスすることが許されている。サービスプロファイル４４０は、移動装置３００に関連した各それぞれの公のアイデンティティ４３０がサポートする所定の数のサービスを含んでいる。一実施形態では、暗黙の登録セット４５０も各公のアイデンティティ４３０に接続される。暗黙の登録セット４５０は、移動装置３００の登録をモニターし、移動装置３００が好ましいドメインで常に登録されることを保証する。暗黙の登録セット４５０は、さらに異なるドメインの登録の暗黙の除去を可能にする。
【００２５】
図５は、本発明の一実施形態に従う、ネットワーク内の異なるドメインでの移動装置の移動度を容易にする方法を示すブロック図である。一実施形態では、ユーザ設備（ＵＥ）として交換できることで知られている移動装置３００は、単一、あるいは代替的にＷＬＡＮおよびＷＷＡＮシステム／ドメインでのＩＭＳ登録を行なうために使用される２重の個人のアイデンティティ４２０を備えた単一の公のアイデンティティ４３０を使用する。図５に示されるように、処理ブロック５１０では、各登録されたシステム／ドメインがモニターされる。一実施形態では、移動装置／ＵＥ  ３００はＷＬＡＮ／ＩＭＳ及びＣＳネットワークの双方に２重に登録され、ページング信号用の各登録されたシステム／ドメインをモニターしている。ネットワークは、両方のドメイン上の移動装置３００に同時にページする。
【００２６】
処理ブロック５２０では、ページング信号は、各登録されたシステム／ドメイン上で同時に受信される。一実施形態では、移動装置３００は双方のシステム／ドメインからのページング信号を受信する。処理ブロック５３０では、ページング応答信号が、移動装置３００内に準備された好ましいシステム／ドメイン情報に基づいて送信される。実施形態においては、移動装置３００が、装置において準備された好ましいシステムに基づくページング信号に応答する。その後、ネットワークは、一方のシステム／ドメインから受信したページング応答を処理する。
【００２７】
一例示的な実施形態において、好ましいシステム／ドメインがオペレーターによって識別され、ページング信号が他のシステムで受信される場合、ＵＥ  ３００は好ましいシステム／ドメイン上でページング信号を受信するために所定時間周期を待つ。その後、ＵＥ  ３００は１つのシステム／ドメインでのみページング応答信号を送る。択一的な実施形態では、ＵＥ  ３００は、好ましくないソリューションで拒絶オーダ(Reject order)信号を送る。
【００２８】
図６は、本発明の択一的な実施形態に従う、ネットワーク内の異なるドメインでの移動装置の移動度を容易にする方法を示すブロック図である。一実施形態では、ユーザ設備（ＵＥ）として交換できることことが知られている移動装置３００は、単一、あるいは択一的にＷＬＡＮおよびＷＷＡＮシステム／ドメインでのＩＭＳ登録を行なうために使用される、２重の個人のアイデンティティ４２０を備えた単一の公のアイデンティティ４３０を使用する。図６に示されるように、処理ブロック６１０では、好ましいシステム／ドメインがモニターされている。一実施形態では、移動装置／ＵＥ  ３００はＷＬＡＮ／ＩＳとＣＳネットワークの双方に２重に登録され、ページング信号用の好ましいシステム／ドメインがモニターされており、好ましいシステム／ドメインが移動装置３００内に準備されている。一実施形態では、ネットワークは、好ましいシステム／ドメインで始まる連続するページングを行ない、応答を得ないとすぐに、他のシステム／ドメインでのページング信号の送信を試みる。
【００２９】
処理ブロック６２０では、ページング信号が、好ましいシステム／ドメインから始まり、各登録されたシステム／ドメインで連続して受信される。一実施形態では、移動装置３００は、好ましいシステム／ドメイン、および連続して残りのシステム／ドメインのページング信号を受信する。
【００３０】
処理ブロック６３０では、好ましいシステムでのページングが失敗したか否かの決定が行なわれる。一実施形態において、好ましいシステム／ドメインでのページが失敗し、別のシステム／ドメインで取得された場合、移動装置３００が好ましいシステム／ドメインでの別のＩＭＳ登録を行なうまで、好ましいシステム／ドメインで移動装置３００をページングしないことにより、ネットワークは最適化を行なってもよい。これは好ましいシステムから移動装置３００の登録を取り消すこととは異なる。後のページが好ましくないシステム／ドメインで試みられ、失敗した場合、移動装置３００が好ましいシステム／ドメインの明示的な登録を取り消すことををまだ行なっておらず、かつ登録タイマがまだ終了していないので、ネットワークが好ましいシステム／ドメインでコールを再試行してもよい。
【００３１】
一例示的な実施形態では、配備は、例えば、ＩＭＳ登録が終了するまで、コールがＷＬＡＮドメインで試みられ、失敗した場合、ＣＳドメインで再試行されるという制限に直面してもよい。ページング応答信号を受信するために選ばれたタイムアウト値に基づく連続するページングは、双方のシステム／ドメインでのページング信号を受信する移動装置３００に帰着する。そのような例において、ネットワークは双方のシステム／ドメインでのページ応答信号を受信することを明らかにし、ページ応答信号が受信されたドメインでのコールを確立する。
【００３２】
図６に戻り参照すると、処理ブロック６４０では、ページングが失敗していない場合、ページング応答信号は、ページング信号を送信するのに使用される同じシステム／ドメインで移動装置３００によって送信される。そうでなければ、ページングが処理ブロック６５０で失敗している場合、移動装置３００は、好ましいシステム／ドメインでの登録を維持し、処理ブロック６２０〜６５０が繰り返される。
【００３３】
図７は、本発明の一実施形態に従う、ネットワーク内の異なるドメインでの移動装置の移動度を容易にする方法用の相互作用図である。図７に示されるように、一実施形態では、移動装置３００はＩＭＳとＣＳのドメイン間で移動し、移動端末コールのためにページされる。移動装置３００は単一の公／個人のアイデンティティを持っており、ＣＳおよびＩＭＳシステム／ドメイン上で登録される。一実施形態では、移動装置３００はＩＭＳドメインを選び、ＩＭＳドメインだけをモニターする。移動装置３００がインカミング(incoming)ページング信号を受信した場合、トリガーが活性化される。図７を参照すると、その手順は以下のとおりである：
ステップ７０１：  一実施形態では、移動装置３００は、ＣＳドメインで登録を行なう。
【００３４】
ステップ７０２：  一実施形態では、移動装置３００はＷＬＡＮカバレッジに入り、ＩＭＳ登録を行なう。
【００３５】
ステップ７０３：  一実施形態では、ＣＳＣＦはインカミングページを受信し、ＩＭＳ／ＷＬＡＮドメインで移動装置３００へ転送される。
【００３６】
ステップ７０４：  一実施形態では、移動装置３００はＩＭＳ／ＷＬＡＮドメインでページを受信し、ページに応答する。そのコールはＩＭＳドメイン上で行なわれる。
【００３７】
ステップ７０５：  一実施形態では、ＣＳＣＦがタイムアウト期間内のページ応答を受け取らなかった場合、それはＣＳドメインへのメディアゲートウェイを通ってページを進める。
【００３８】
ステップ７０６：  一実施形態では、ＷＬＡＮカバレッジから出た移動装置３００はＣＳドメインをモニターしている。移動装置３００はページを受け取り、ＣＳドメインでのページ応答を送ることにより応答する。そのコールはＣＳドメインで確立される。
【００３９】
ステップ７０７：  一実施形態では、遷移シナリオの下の連続するページングにより被る遅れを回避するために、移動装置３００は、移動装置がＷＬＡＮカバレッジから出て行くことを検出し、ＷＬＡＮの上のサービスを受けることを停止するためにＩＭＳ  登録の消去を行なう。
【００４０】
ステップ７０８：  択一的な実施形態では、依然として弱いＷＬＡＮカバレッジの下にいる間、移動装置３００はＩＭＳ  登録消去を送る。
【００４１】
ステップ７０９：  移動装置は、ＣＳドメインでのみ順次ページされる。
【００４２】
一実施形態では、移動装置３００は、その現在の登録ステータスに基づいた適切なドメインでページされる。失敗が好ましいシステム／ドメインで発生した場合、コールは別のシステム／ドメインで再試行される。一実施形態では、好ましいシステム／ドメインでのページが失敗し、他のシステム／ドメインで得られる場合、移動装置３００が、好ましいシステム／ドメインで他のＩＭＳ登録を行なうまで、移動装置３００が好ましいシステム／ドメインで移動装置３００をページングしないことによりネットワークが最適化を行なうことができる。これは好ましいシステムからの移動装置３００の登録を取り消すこととは異なる。続くページは好ましくないシステム／ドメインで試みられ、それが失敗した場合に、移動装置３００が好ましいシステム／ドメインの明示的な登録消去をまだ行なっておらず、登録タイマがまだ切れていない(expire)ので、ネットワークは好ましいシステム／ドメインでコールを再試行してもよい。
【００４３】
図８は、本発明の択一的な実施形態に従う、ネットワーク内の異なるドメインに関する移動装置の移動度を容易にする方法用の相互作用図である。この実施形態では、移動装置３００はＩＭＳとＣＳのドメイン間を移動し、移動終了コールのためにページされる。移動装置３００は単一の公／個人のアイデンティティを持っており、ＣＳおよびＩＭＳシステム／ドメインで登録される。一実施形態では、移動装置３００はＩＭＳドメインを選択し、ＩＭＳドメインだけをモニターする。移動装置３００がインカミングページング信号を受信した場合、トリガーが活性化される。図８を参照すると、その手順は以下のとおりである：
ステップ８０１：  一実施形態では、移動装置３００は、ＣＳドメインでの登録を行なう。
【００４４】
ステップ８０２：  一実施形態では、移動装置が自発的にそのインカミングページを受信するドメインを示すために、移動装置３００はＶＣＣ  ＡＳに特別のＳＭＳを送る。
【００４５】
ステップ８０３：  一実施形態では、移動装置３００はＷＬＡＮカバレッジを入力し、ＩＭＳ登録を行なう。
【００４６】
ステップ８０４：  一実施形態では、移動装置３００がＩＭＳドメインでのインカミングページを自発的に受信することを示すために、ＣＳＣＦはＶＣＣ  ＡＳへＩＭＳ登録を転送する。
【００４７】
ステップ８０５：  一実施形態では、ＣＳＣＦはインカミングページを受信し、ＶＣＣ  ＡＳへ転送する。ＶＣＣ  ＡＳは、ＩＭＳ／ＷＬＡＮドメインでの移動装置３００にページする。
【００４８】
ステップ８０６：  一実施形態では、移動装置３００がＩＭＳ／ＷＬＡＮドメインでのページを受信した場合、次にページに応答する。そのコールはＩＭＳドメインで行なわれる。
【００４９】
ステップ８０７：  一実施形態では、ＶＣＣ  ＡＳがタイムアウト期間内にページ応答を受け取らなかった場合、ＣＳドメイン上で移動装置３００をページする。タイムアウト期間以上に遅れてもよいので、ＶＣＣ  ＡＳがまだＩＭＳ／ＷＬＡＮドメインでの移動装置３００からのページ応答を予期する。
【００５０】
ステップ８０８：  一実施形態では、ＷＬＡＮカバレッジからでている移動装置３００はＣＳドメインをモニターしている。移動装置３００は、ページを受信し、ＣＳドメインでページ応答を送ることにより応答する。そのコールは、ＣＳドメインで続いて確立される。
【００５１】
ステップ８０９：  一実施形態では、遷移シナリオの下の連続するページングにより被る遅れを回避するために、移動装置３００は、移動装置がＷＬＡＮカバレッジからでて行くことを検出し、ＷＬＡＮ上でそのサービスを受けることを停止するためにＩＭＳ  登録消去を行なってもよい。
【００５２】
ステップ８１０：  一実施形態では、いまだ弱いＷＬＡＮカバレッジの下にいる間、移動装置３００がＩＭＳ  登録消去を送る。
【００５３】
ステップ８１１：  一実施形態では、ＣＳＣＦはＶＣＣ  ＡＳへＩＭＳ  登録消去を転送する。
【００５４】
ステップ８１２：  一実施形態では、ページは、ＣＳドメインに関してのみ続いて移動装置３００につけられる。
【００５５】
ステップ８１３：  一実施形態では、登録消去の機会を得ずに、移動装置３００がＩＭＳ／ＷＬＡＮドメインを去る場合、移動装置３００は、ＣＳドメインでのそのインカミングページを受信したいことをＶＣＣ  ＡＳに示すために特別のＳＭＳを使用する。この特別のＳＭＳがサポートされておらず、移動装置３００がＩＭＳ  登録消去を行なわなかった場合、移動装置３００はＩＭＳ／ＷＬＡＮドメインでページされ、失敗し、ＩＭＳ登録タイムアウトまでＣＳドメインでコールを再び試みる。
【００５６】
一実施形態では、移動装置３００は、現在の登録ステータスに基づく適切なドメインでページされる。失敗が好ましいシステム／ドメインで発生する場合、コールは他のシステム／ドメインで再び試みられる。一実施形態では、好ましいシステム／ドメインでのページが失敗し、他のシステム／ドメインで取得される場合、移動装置３００が好ましいシステム／ドメインで別のＩＭＳ登録を行なうまで、移動装置３００が好ましいシステム／ドメインをページングしないことによってネットワークが最適化してもよい。これは好ましいシステムからの移動装置３００の登録を取り消すこととは異なる。後に続くページは好ましくないシステム／ドメインで試行され、失敗した場合に、およびそれがいつ失敗するかで試みられるだろう、移動装置３００が好ましいシステム／ドメインの明示的な登録取消をまだ行なっておらず、登録タイマが終了指定いないので、ネットワークは好ましいシステム／ドメインでのコールを再び試みてもよい。
【００５７】
図９は、本発明の別の択一的な実施形態によるネットワーク内の異なるドメインに関する移動装置の移動度を容易にする方法の相互作用図である。この実施形態では、移動装置３００はＩＭＳ／ＷＬＡＮとＩＭＳ／ＷＷＡＮドメインの間を移動し、移動終了コールのためにページされる。移動装置３００は２重の個人のアイデンティティで単一の公のアイデンティティを持っており、ＩＭＳ／ＷＬＡＮおよびＩＭＳ／ＷＷＡＮシステム／ドメインで登録される。一実施形態では、移動装置３００はＩＭＳ／ＷＬＡＮドメインを選択し、ＩＭＳ／ＷＬＡＮドメインだけをモニターする。移動装置３００がインカミングページング信号を受信した場合、トリガーが活性化される。図９を参照すると、その手順は以下のとおりである：
ステップ９０１：  一実施形態では、移動装置３００は、個人のアイデンティティ１をＩＭＳ／ＷＷＡＮドメインで登録する。
【００５８】
ステップ９０２：  一実施形態では、移動装置３００はＷＬＡＮカバレッジに入り、個人のアイデンティティ２をＩＭＳ／ＷＬＡＮドメインで登録する。
【００５９】
ステップ９０３：  一実施形態では、ＣＳＣＦはインカミングページを受信し、ＶＣＣ  ＡＳへ転送する。ＶＣＣ  ＡＳは好ましいドメインとしてＩＭＳ／ＷＬＡＮを扱い、ＩＭＳ／ＷＬＡＮドメインで移動装置３００をページする。
【００６０】
ステップ９０４：  一実施形態では、移動装置３００がＩＭＳ／ＷＬＡＮドメインでページを受信し、ページに応答する。そのコールはＩＭＳ／ＷＬＡＮドメインで行なわれる。
【００６１】
ステップ９０５：  一実施形態では、ＣＳＣＦがタイムアウト期間内にページ応答を受信しない場合、ＩＭＳ／ＷＷＡＮドメインで移動装置３００をページする。
【００６２】
ステップ９０６：  一実施形態では、移動装置３００はページを受信し、ＩＭＳ／ＷＷＡＮドメインでページ応答を送ることにより応答する。そのコールはＩＭＳ／ＷＷＡＮドメインで確立される。
【００６３】
ステップ９０７：  一実施形態では、ＷＬＡＮカバレッジからでた移動装置３００はＩＭＳ／ＷＷＡＮドメインをモニターしている。遷移シナリオの下の連続するページングにより被る遅れを回避するために、移動装置３００は、移動装置がＷＬＡＮカバレッジから出たことを検出し、ＷＬＡＮ上でのそのサービスを受けることを停止するためにＩＭＳ  登録取消を行なってもよい。
【００６４】
ステップ９０８：  一実施形態では、まだ弱いＷＬＡＮカバレッジの下にいる間、移動装置３００はＩＭＳ  登録取消を送る。登録取消に先立ってＷＬＡＮカバレッジを失う場合、移動装置３００は、ＷＬＡＮおよびＷＷＡＮ  ＩＭＳの両方が同じＩＭＳ中核ネットワークに属する場合には、そのＩＭＳ／ＷＬＡＮドメインの登録を取り消すためにＩＭＳ／ＷＷＡＮドメインを使用してもよい。
【００６５】
ステップ９０９：  一実施形態では、移動装置３００は、ＩＭＳ／ＷＷＡＮドメインでのみ続いてページされる。
【００６６】
一実施形態では、移動装置３００は、現在の登録ステータスに基づく適切なドメインでページされる。失敗が好ましいシステム／ドメインで発生する場合、コールが他のシステム／ドメインで再び試みられる。一実施形態では、好ましいシステム／ドメインでページが失敗し、他のシステム／ドメインで取得される場合、移動装置３００が、別のＩＭＳ登録を好ましいシステム／ドメインで行なうまで、好ましいシステム／ドメインで移動装置３００をページングしないことによってネットワークが最適化してもよい。これは好ましいシステムからの移動装置３００の登録を取り消すこととは異なる。続くページは好ましくないシステム／ドメインで試みられ、失敗した場合、移動装置３００が好ましいシステム／ドメインの明示的な登録取消をまだ行なっておらず、登録タイマが終了していないので、ネットワークは好ましいシステム／ドメインでコールを再び試みてもよい。
【００６７】
図１０は、さらなる択一的な本発明の実施形態に従うネットワーク内の異なるドメインで移動装置の移動度を容易にする方法の相互作用図である。この実施形態では、移動装置３００はＩＭＳ／ＷＬＡＮとＩＭＳ／ＷＷＡＮドメインの間で移動し、移動終了コールのためにページされる。移動装置３００は２重の個人のアイデンティティで単一の公のアイデンティティを持っており、ＣＳ、ＩＭＳ／ＷＬＡＮおよびＩＭＳ／ＷＷＡＮシステム／ドメイン上に登録される。一実施形態では、移動装置３００はＩＭＳ／ＷＬＡＮドメインを選択し、ＩＭＳ／ＷＬＡＮドメインのみをモニターする。一実施形態では、音声通信にについてのドメイン選択はＩＭＳ／ＷＷＡＮに従うＩＭＳ／ＷＬＡＮであり、さらに、ＣＳドメインに従う。移動装置３００がインカミングページング信号を受信した場合、トリガーが活性化される。図１０を参照すると、その手順は以下のとおりである：
ステップ１００１：  一実施形態では、移動装置３００は、ＣＳドメインで登録を行なう。
【００６８】
ステップ１００２：  一実施形態では、移動装置３００は、個人のアイデンティティ１を備えたＩＭＳ／ＷＷＡＮドメインで登録を行なう。
【００６９】
ステップ１００３：  一実施形態では、移動装置３００はＷＬＡＮカバレッジに入り、個人のアイデンティティ２を備えたＩＭＳ／ＷＬＡＮドメイン登録を行なう。
【００７０】
ステップ１００４：  一実施形態では、ＣＳＣＦはインカミングページを受信し、好ましいドメインとしてＩＭＳ／ＷＬＡＮを扱い、さらにＩＭＳ／ＷＬＡＮドメインで移動装置３００をページする。
【００７１】
ステップ１００５：  一実施形態では、移動装置３００がＩＭＳ／ＷＬＡＮドメインでページを受信した場合、ページに応答する。そのコールはＩＭＳ／ＷＬＡＮドメインで処理される。
【００７２】
ステップ１００６：  一実施形態では、ＣＳＣＦがタイムアウト期間内にページ応答を受信しなかった場合、ＩＭＳ／ＷＷＡＮドメインで移動装置３００をページする。
【００７３】
ステップ１００７：  一実施形態では、ＷＬＡＮカバレッジから出た移動装置３００はＩＭＳ／ＷＷＡＮドメインをモニターしている。ページを受信し、ＩＭＳ／ＷＷＡＮドメインでページ応答を送ることにより応答する。そのコールは、ＩＭＳ／ＷＷＡＮドメインで続いて確立される。
【００７４】
ステップ１００８：  一実施形態では、ＣＳＣＦがＩＭＳ／ＷＷＡＮドメインで送られたページのタイムアウト期間内にページ応答を受信しなかった場合、ＣＳドメインで移動装置３００をページする。
【００７５】
ステップ１００９：  一実施形態では、遷移シナリオの下の連続するページングにより被る遅れを回避するために、移動装置３００が移動装置がＷＬＡＮカバレッジから出ることを検出し、ＷＬＡＮでのそのサービスを受けることを停止するためにＩＭＳ  登録取消を行なう。まだ弱いＷＬＡＮカバレッジの下でいる間、移動装置３００はＩＭＳ  登録取消を送る。ＷＬＡＮおよびＷＷＡＮ  ＩＭＳの両方が同じＩＭＳ中核ネットワークに属する場合、移動装置３００は、それが登録取消に先立ってＷＬＡＮカバレッジを失う場合、そのＩＭＳ／ＷＬＡＮドメインを登録取消するためにＩＭＳ／ＷＷＡＮドメインを使用してもよい。
【００７６】
ステップ１０１０：  一実施形態では、移動装置３００はＩＭＳ／ＷＷＡＮあるいはＣＳドメイン上でのみ続いてページされる。
【００７７】
一実施形態では、移動装置３００は現在の登録ステータスに基づいた適切なドメインでページされる。失敗が好ましいシステム／ドメインで生じる場合、コールは他のシステム／ドメインで再び試みられる。一実施形態では、好ましいシステム／ドメインでページが失敗し、他のシステム／ドメインで得られる場合、移動装置３００が好ましいシステム／ドメインで他のＩＭＳ登録を行なうまで移動装置３００を好ましいシステム／ドメインでページングしないことによりネットワークが最適化してもよい。これは好ましいシステムからの移動装置３００の登録を取り消すこととは異なる。後のページは好ましくないシステム／ドメインで試みられ、失敗する場合、移動装置３００が好ましいシステム／ドメインの明示的な登録取消をまだ行なっておらず、登録タイマが終了していないので、ネットワークは好ましいシステム／ドメインでコールを再び試みてもよい。
【００７８】
図１１は、さらなる本発明の別の択一的な実施形態によれば、ネットワーク内の異なるドメインで移動装置の移動度を容易にする方法の相互作用図である。この実施形態では、移動装置３００はＩＭＳ／ＷＬＡＮとＩＭＳ／ＷＷＡＮドメインの間で移動し、移動終了コールのためにページされる。移動装置３００は２重の個人のアイデンティティで単一の公のアイデンティティを持っており、ＣＳ、ＩＭＳ／ＷＬＡＮおよびＩＭＳ／ＷＷＡＮシステム／ドメイン上に登録される。一実施形態では、移動装置３００はＩＭＳ／ＷＬＡＮドメインを選択し、ＩＭＳ／ＷＬＡＮドメインだけをモニターする。一実施形態では、音声通信のためのドメイン選択はＩＭＳ／ＷＷＡＮによってフォローされるＩＭＳ／ＷＬＡＮであり、さらにＣＳドメインによってフォローされる。移動装置３００がインカミングページング信号を受信した場合、トリガーが活性化される。図１１を参照すると、その手順は以下のとおりである：
ステップ１１０１：  一実施形態では、移動装置３００は、ＣＳドメインで登録を行なう。
【００７９】
ステップ１１０２：  一実施形態では、移動装置３００は、個人のアイデンティティ１を備えたＩＭＳ／ＷＷＡＮドメインで登録を行なう。
【００８０】
ステップ１１０３：  一実施形態では、移動装置３００がＩＭＳ／ＷＷＡＮドメインでそのインカミングページを進んで受信することを示すために、ＣＳＣＦは、ＶＣＣ  ＡＳへＩＭＳ／ＷＷＡＮ登録を転送する。
【００８１】
ステップ１１０４：  一実施形態では、移動装置３００はＷＬＡＮカバレッジに入り、個人のアイデンティティ２を備えたＩＭＳ／ＷＬＡＮドメイン登録を行なう。
【００８２】
ステップ１１０５：  一実施形態では、移動装置３００がＩＭＳ／ＷＬＡＮドメインでそのインカミングページを進んで受信することを示すために、ＣＳＣＦは、ＶＣＣ  ＡＳへＩＭＳ／ＷＬＡＮ登録を転送する。
【００８３】
ステップ１１０６：  一実施形態では、ＣＳＣＦはインカミングページを受信し、ＶＣＣ  ＡＳへそれを転送する。ＶＣＣ  ＡＳは好ましいドメインとしてＩＭＳ／ＷＬＡＮドメインを扱い、ＩＭＳ／ＷＬＡＮドメインで移動装置３００をページする。
【００８４】
ステップ１１０７：  一実施形態では、移動装置３００がＩＭＳ／ＷＬＡＮの上のページを受信し、ページに応答する。そのコールはＩＭＳ／ＷＬＡＮドメインで進む。
【００８５】
ステップ１１０８：  一実施形態では、ＶＣＣ  ＡＳがタイムアウト期間内にページ応答を受信しなかった場合、ＩＭＳ／ＷＷＡＮドメインで移動装置３００をページする。
【００８６】
ステップ１１０９：  一実施形態では、ＷＬＡＮカバレッジからでた移動装置３００はＩＭＳ／ＷＷＡＮドメインをモニターしている。ページを受信し、ＩＭＳ／ＷＷＡＮドメインでページ応答を送ることにより応答する。コールはＩＭＳ／ＷＷＡＮドメインで確立される。
【００８７】
ステップ１１１０：  一実施形態では、ＣＳＣＦがＩＭＳ／ＷＷＡＮドメインで送られたページのタイムアウト期間内にページ応答を受信しなかった場合、ＣＳドメインで移動装置３００をページする。
【００８８】
ステップ１１１１：  一実施形態では、遷移シナリオの下の連続するページングにより被る遅れを回避するために、移動装置３００は、移動装置がＷＬＡＮカバレッジからでたことを検出し、ＷＬＡＮでのそのサービスを受けることを停止するためにＩＭＳ  登録取消を行なってもよい。
【００８９】
ステップ１１１２：  一実施形態では、まだ弱いＷＬＡＮカバレッジの下にいる間、移動装置３００はＩＭＳ  登録取消を送る。移動装置３００は、登録取消に先立ってＷＬＡＮカバレッジを失う場合、ＷＬＡＮおよびＷＷＡＮ  ＩＭＳの両方が同じＩＭＳ中核ネットワークに属する場合に、そのＩＭＳ／ＷＬＡＮドメインを登録取消するためにＩＭＳ／ＷＷＡＮドメインを使用してもよい。
【００９０】
ステップ１１１３：  一実施形態では、ＣＳＣＦはＶＣＣ  ＡＳへＩＭＳ  登録取消を転送する。
【００９１】
ステップ１１１４：  一実施形態では、移動装置３００は、ＩＭＳ／ＷＷＡＮあるいはＣＳドメインで次にページされる。
【００９２】
ステップ１１１５：  一実施形態では、移動装置３００は、ＣＳドメインのみでそのサービスをすべて受けることを望むネットワークに示すべき特別のＳＭＳを使用してもよい。
【００９３】
一実施形態では、好ましいシステム／ドメインでページが失敗し、他のシステム／ドメインで得られる場合、好ましいシステム／ドメインで移動装置３００が他のＩＭＳ登録を行なうまで好ましいシステム／ドメインで移動装置３００をページングしないことにより、ネットワークが最適化しても良い。これは好ましいシステムからの移動装置３００の登録を取り消すこととは異なる。後のページは好ましくないシステム／ドメインで試行され、失敗した場合、移動装置３００が好ましいシステム／ドメインの明示的な登録取消をまだ行なっておらず、登録タイマがまだ終了していないので、ネットワークが好ましいシステム／ドメインでコールを再び試みてもよい。
【００９４】
図１２は、本発明の別の択一的な実施形態に従うネットワーク内の異なるドメインでの移動装置の移動度を容易にする方法を示すブロック図である。図１２の実施形態に示すように、処理ブロック１２１０では、移動装置３００は所定のシステム／ドメインで登録し、登録されたシステム／ドメインをモニターする。一実施形態では、移動装置３００が１つ以上のシステム／ドメインを登録する場合、装置の登録は他のシステム／ドメインから取り除かれる。ＣＳドメインで登録する場合、移動装置３００は続いてＳＭＳを送る。
【００９５】
処理ブロック１２２０では、ページング信号は登録されたシステム／ドメインで受信される。一実施形態では、移動装置３００はネットワークからページを受信する。ネットワークは、現在登録されたドメイン上で移動装置３００をページする。ネットワークが所定時間内に応答を得ない場合、移動装置３００がカバレッジからでたと仮定することを諦める。そうでなければ、処理ブロック１２３０で、ページング応答信号は移動装置３００によって登録されたシステム／ドメインで送信される。
【００９６】
開示されたプロセスのステップの特定の順序又は階層が、典型的なアプローチの例であることが理解される。設計優先度に基づいて、プロセスのステップの特定の順序又は階層が本開示の範囲内で再アレンジされてもよいことが理解される。伴なう方法は、例示的な順番における種々のステップの現在のエレメントを要求し、提示された特定の順番又は、階層に限定されることを意図するものではない。
【００９７】
当業者であれば、情報と信号が様々な異なる技術および技能のうちのどれを使用して表わされてもよいことを理解するだろう。例えば、上記の説明の全体にわたって参照されるデータ、指示、コマンド、情報、信号、ビット、記号およびチップは、電圧、電流、電磁波、磁場、磁粒子、光学場、光粒子、あるいはそれらの任意の組み合わせによって表わされてもよい。
【００９８】
当業者であればさらに、ここに示された観点に関連して述べられた種々の図示した論理ブロック、モジュール、回路及びアルゴリズム・ステップが、電子ハードウェア（例えば、デジタル・インプリメンテーション、アナログ・インプリメンテーションあるいはこれら２つの組み合わせ、これらはソースコーディング又は他の技術を使用して設計される）、命令を含む種々の形式ののプログラム又は設計コード（ここでは、「ソフトウェア」、「コンピューター・ソフトウェア」および／または「ソフトウェア・モジュール」として言及される）あるいは両方のコンビネーションとして実現されることができることを認識する。明白にハードウェアとソフトウェアのこの互換性を示すために、様々な実例となるコンポーネント、ブロック、モジュール、回路およびステップが、それらの機能性の点から一般的に上述のように説明された。そのような機能性がハードウェアまたはソフトウェアとして実現されるかどうかは、全体的なシステムに課された特定用途および設計制約に依存する。熟練者は各特定用途の方法を変える際に開示された機能性を実現してもよいが、このような実現の決定は本開示の観点から離れることを引き起こすものであるとして解釈されるべきではない。
【００９９】
ここに示された観点に関連する様々な実例となる論理的なブロック、モジュールおよび回路は、集積回路（「ＩＣ」）、アクセス端末あるいはアクセス・ポイントの内側に実現されるか又はこれらによって実現されてもよい。ＩＣは汎用目的プロセッサ、デジタル信号プロセッサー（ＤＳＰ）、特定用途向け集積回路（ＡＳＩＣ）、フィールドプログラマブルゲートアレー（ＦＰＧＡ）あるいは他のプログラマブル論理装置、個別のゲート又はトランジスター・ロジック、個別のハードウェア・コンポーネント、電気部品、光学部品、機械的なコンポーネントあるいはここにおいて述べられた機能を実現するように設計されたこれらのいずれの組み合わせを含み。ＩＣ内、ＩＣの外側及びこれら両方に存在するコード又は命令を実行してもよい。汎用目的プロセッサはマイクロプロセッサーであっても良いが、代案では、プロセッサは任意の従来のプロセッサ、コントローラ、マイクロコントローラあるいはステートマシンであっても良い。プロセッサも、コンピューティング装置、例えばＤＳＰとマイクロプロセッサーのコンビネーション、複数のマイクロプロセッサー、ＤＳＰコアに関連する１個以上のマイクロプロセッサーのコンビネーション又はこのようなコンフィグレーションとして実現されてもよい。
【０１００】
１つ以上の例示的な実施形態では、述べられた機能は、ハードウェア、ソフトウェア、ファームウェアあるいはそれらの任意のコンビネーションで実現されてもよい。もしソフトウェアで実現されれば、機能は、コンピューター判読可能な媒体についての１つ以上の指示あるいはコードとして格納されるか、あるいは１つ以上の指示あるいはコードとして送信されてもよい。コンピュータ可読媒体はコンピュータ記憶装置媒体、及びある場所から他の場所へコンピュータプログラムの転送を容易にするいずれかの媒体を含む通信媒体の両方を含んでいる。記憶媒体はコンピューターによってアクセスすることができるあらゆる利用可能な媒体でも良い。例としてであって制限ではないが、そのようなコンピュータ可読媒体はＲＡＭ、ＲＯＭ、ＥＥＰＲＯＭ、ＣＤ−ＲＯＭまたは他の光ディスク記憶装置、ディスク記憶装置あるいは他の磁気記憶装置、コンピューターによってアクセスすることができ、命令或いはデータストラクチャの形式の所望のプログラムコードを伝送し或いは格納するのに使用される他のあらゆる媒体を含むことができる。さらに、どんな接続も適切にコンピューター判読可能な媒体と名付けられる。例えば、同軸ケーブル、光ファイバーケーブル、ツイストペア、デジタル加入者線（ＤＳＬ）あるいは赤外線、無線およびマイクロ波のような無線技術を使用して、ソフトウェアがウェブサイト、サーバーあるいは他の遠隔源から送信される場合、同軸ケーブル、光ファイバーケーブル、ツイストペア、ＤＳＬあるいは赤外線、無線およびマイクロ波のような無線技術は、媒体の定義に含まれている。ディスクがレーザーでデータを光学的に再生する一方、ディスクが通常磁気的にデータを再生する場合、ここに使用されたディスクとディスクは、コンパクト・ディスク（ＣＤ）、レーザーディスク（登録商標）、光ディスク、ＤＶＤ（ＤＶＤ）、フロッピー（登録商標）ディスクおよびブルーレイ・ディスクを含んでいる。上記のコンビネーションもコンピュータ可読媒体の範囲内に含まれているべきである。従って、コンピューター判読可能な媒体が任意の適切なコンピュータ・プログラム製品において実現されてもよいことは認識されるべきである。
【０１０１】
開示された観点の以前の説明はどんな当業者に現在の開示を作るか使用することを可能にするために提供される。これらの観点への様々な修正は、当業者にとって容易に明白であり、ここに定義された一般的な法則は、開示の精神又は観点から離れることなく、他の観点に適用されてもよい。したがって、本開示はここに示された観点に限定されることが意図されるものではないが、ここに示された原則および新規な特徴と一致する最も広い観点に従う。
【図１】
2010512128.tif 000003
【図２】
2010512128.tif 000004
【図３】
2010512128.tif 000005
【図４】
2010512128.tif 000006
【図５】
2010512128.tif 000007
【図６】
2010512128.tif 000008
【図７】
2010512128.tif 000009
【図８】
2010512128.tif 000010
【図９】
2010512128.tif 000011
【図１０】
2010512128.tif 000012
【図１１】
2010512128.tif 000013
【図１２】
2010512128.tif 000014
【国際調査報告】
2010512128.tif 000015
2010512128.tif 000016
2010512128.tif 000017